(57)【要約】【課題】製版オペレータが目視により特色に対応する版を製作する場合に比して、所望される特色をより正確に表現して確認することが可能であると共に、その校正作業を効率化することが可能な校正システムを提供する。【解決手段】印刷用の基本四色夫々に対応するＰＳデータＳｒｐｓに基づいて当該基本四色夫々に対応するカラー分解情報Ｓｓｐを生成すると共に，基本四色以外の特色に対応するＰＳデータＳｒｐｓデジタル特色情報に基づいて当該特色に対応するカラー分解情報Ｓｓｐを生成し、基本四色及び特色に夫々対応する網点データＳｍｘと、各カラー分解情報Ｓｓｐに基づいて、基本四色及び特色に夫々対応する各版の状態を示すカラー画像情報Ｓｒｇｂを生成してディスプレイ１２１に表示する。【選択図】      図２
2005033279.tif 000002
【特許請求の範囲】
【請求項１】
印刷用の基本四色夫々に対応するデジタル色情報に基づいて、前記基本四色夫々に対応する基本色カラー分解情報を生成する基本色解析手段と、
前記基本四色以外の予め設定されている特色に対応するデジタル特色情報に基づいて、前記特色に対応する特色カラー分解情報を生成する特色解析手段と、
前記基本四色及び前記特色に夫々対応する網点情報と、前記生成された基本色カラー分解情報と、前記生成された特色カラー分解情報と、に基づいて、前記基本四色及び前記特色に夫々対応する各版の状態を示すカラー画像情報を生成するカラー変換手段と、
前記生成されたカラー画像情報に基づいて、各前記版に対応する画像を表示する表示手段と、
を備えることを特徴とする版状態表示装置。
【請求項２】
請求項１に記載の版状態表示装置において、
前記デジタル特色情報は、当該特色を構成する基本四色夫々の色割合を示す色割合情報を含むと共に、
前記特色解析手段は、前記色割合情報に基づいて前記特色カラー分解情報を生成することを特徴とする版状態表示装置。
【請求項３】
請求項１又は２に記載の版状態表示装置において、
各前記デジタル色情報及び前記デジタル特色情報は、ページ記述言語によりデジタル的に記述されている情報であると共に、
前記デジタル特色情報は、
当該特色の名称を示す名称と、当該特色を構成する基本四色夫々の色割合を示す色割合情報を含み、
前記特色解析手段は、前記名称と前記色割合情報とを関連付けて前記特色カラー分解情報を生成することを特徴とする版状態表示装置。
【請求項４】
請求項１から３のいずれか一項に記載の版状態表示装置において、
前記カラー変換手段は、前記カラー画像情報としてのカラーセパレート情報を前記基本四色及び前記特色夫々について生成すると共に、前記カラー画像情報としてのカラーコンポジット情報を前記基本四色及び前記特色に基づいて生成することを特徴とする版状態表示装置。
【請求項５】
印刷用の基本四色夫々に対応するデジタル色情報に基づいて、前記基本四色夫々に対応する基本色カラー分解情報を生成する基本色解析工程と、
前記基本四色以外の予め設定されている特色に対応するデジタル特色情報に基づいて、前記特色に対応する特色カラー分解情報を生成する特色解析工程と、
前記基本四色及び前記特色に夫々対応する網点情報と、前記生成された基本色カラー分解情報と、前記生成された特色カラー分解情報と、に基づいて、前記基本四色及び前記特色に夫々対応する各版の状態を示すカラー画像情報を生成するカラー変換工程と、
前記生成されたカラー画像情報に基づいて、各前記版に対応する画像を表示手段に表示する表示工程と、
を備えることを特徴とする版状態表示方法。
【請求項６】
請求項５に記載の版状態表示方法において、
前記デジタル特色情報は、当該特色を構成する基本四色夫々の色割合を示す色割合情報を含むと共に、
前記特色解析工程においては、前記色割合情報に基づいて前記特色カラー分解情報を生成することを特徴とする版状態表示方法。
【請求項７】
請求項５又は６に記載の版状態表示方法において、
各前記デジタル色情報及び前記デジタル特色情報は、ページ記述言語によりデジタル的に記述されている情報であると共に、
前記デジタル特色情報は、
当該特色の名称を示す名称と、当該特色を構成する基本四色夫々の色割合を示す色割合情報を含み、
前記特色解析工程においては、前記名称と前記色割合情報とを関連付けて前記特色カラー分解情報を生成することを特徴とする版状態表示方法。
【請求項８】
請求項５から７のいずれか一項に記載の版状態表示方法において、
前記カラー変換工程においては、前記カラー画像情報としてのカラーセパレート情報を前記基本四色及び前記特色夫々について生成すると共に、前記カラー画像情報としてのカラーコンポジット情報を前記基本四色及び前記特色に基づいて生成することを特徴とする版状態表示方法。
【請求項９】
印刷用の版の状態を表示する版状態表示装置に含まれるコンピュータを、
前記印刷用の基本四色夫々に対応するデジタル色情報に基づいて、前記基本四色夫々に対応する基本色カラー分解情報を生成する基本色解析手段、
前記基本四色以外の予め設定されている特色に対応するデジタル特色情報に基づいて、前記特色に対応する特色カラー分解情報を生成する特色解析手段、
前記基本四色及び前記特色に夫々対応する網点情報と、前記生成された基本色カラー分解情報と、前記生成された特色カラー分解情報と、に基づいて、前記基本四色及び前記特色に夫々対応する各版の状態を示すカラー画像情報を生成するカラー変換手段、及び、
前記生成されたカラー画像情報に基づいて、各前記版に対応する画像の表示を制御する表示制御手段、
として機能させることを特徴とする版状態表示用プログラム。
【請求項１０】
請求項９に記載の版状態表示用プログラムにおいて、
前記デジタル特色情報は、当該特色を構成する基本四色夫々の色割合を示す色割合情報を含むと共に、
前記特色解析手段として機能する前記コンピュータを、前記色割合情報に基づいて前記特色カラー分解情報を生成するように機能させることを特徴とする版状態表示用プログラム。
【請求項１１】
請求項９又は１０に記載の版状態表示用プログラムにおいて、
各前記デジタル色情報及び前記デジタル特色情報は、ページ記述言語によりデジタル的に記述されている情報であると共に、
前記デジタル特色情報は、
当該特色の名称を示す名称と、当該特色を構成する基本四色夫々の色割合を示す色割合情報を含み、
前記特色解析手段として機能する前記コンピュータを、前記名称と前記色割合情報とを関連付けて前記特色カラー分解情報を生成するように機能させることを特徴とする版状態表示用プログラム。
【請求項１２】
請求項９から１１のいずれか一項に記載の版状態表示用プログラムにおいて、
前記カラー変換手段として機能する前記コンピュータを、前記カラー画像情報としてのカラーセパレート情報を前記基本四色及び前記特色夫々について生成するように機能させると共に、前記カラー画像情報としてのカラーコンポジット情報を前記基本四色及び前記特色に基づいて生成するように機能させることを特徴とする版状態表示用プログラム。
【請求項１３】
請求項９から１２のいずれか一項に記載の版状態表示用プログラムが、前記コンピュータで夫々読取可能に記録されていることを特徴とする情報記録媒体。
【発明の詳細な説明】
【０００１】
【発明の属する技術分野】
本発明は、版状態表示装置、版状態表示方法、版状態表示用プログラム並びに情報記録媒体の技術分野に属し、より詳細には、カラー印刷用の各色に対応する版における色の状態を、その版を実際に作成する前に確認するために用いられる版状態表示装置及び版状態表示方法、並びに版状態表示用プログラム及び当該版状態表示用プログラムが記録されている情報記録媒体の技術分野に属する。
【０００２】
【従来の技術】
一般に、複数色の版を用いたカラー印刷を行う場合、各色（具体的には、印刷用の基本四色である、シアン（以下、適宜Ｃと示す）、マゼンタ（以下、適宜Ｍと示す）、イエロー（以下、適宜Ｙと示す）及びブラック（以下、適宜Ｋと示す））の版を実際に作成する前に、夫々の版における発色具合を点検することが行われる。より具体的には、従来のアナログ刷版工程においては、殖版フィルムを校正用プルーフとして使用することでいわゆるアオリ作業や重ね合せ作業を行い、版出力の前に不良（絵柄の不整合やフォントの違い等）の有無ことが行われている。
【０００３】
一方、近年においては、いわゆるページ記述言語（以下、単にＰＳ（Ｐｏｓｔ  Ｓｃｒｉｐｔ）と称する）によりデジタル的に記述されている各色毎の色情報を用いたデジタル印刷技術として、いわゆるＣＴＰ（Ｃｏｍｐｕｔｅｒ  Ｔｏ  Ｐｌａｔｅ）システムが一般化しつつある。このＣＴＰを用いた印刷システムは、コンピュータで組版したデータを用いて、従来のフィルム出力を行わずに直接印刷用の版（刷版）に出力するシステムである。
【０００４】
ここで、このＣＴＰ印刷システムにおいて上述したような版出力前の検査を行う場合には、当該ＣＴＰとして版を直接出力する構成であるため、いわゆるＲＩＰ（Ｒａｓｔｅｒ  Ｉｍａｇｅ  Ｐｒｏｃｅｓｓｉｎｇ）処理の結果を確認することができない。
【０００５】
そこで、従来では、ＲＩＰ処理した後のデータをインクジェットプリンタにより出力したり、或いはディスプレイ上に表示することで上述した校正作業を行っていた。そして、このようにＲＩＰ処理後の網点データ若しくはデスクリーニング処理した連続階調画像をインクジェットプリンタやディスプレイにより表示して校正するための装置は種々のものが知られている。
【０００６】
このとき、これらの校正装置では、上記基本四色のプロセスカラーについては自動で画像表示（又は画像印刷）用にカラー変換することが可能とされているが、特注により指定されるいわゆる特色に関しては、製版オペレータが予め版名及びカラー分解情報（その特色を構成するＣ、Ｍ、Ｙ及びＫ夫々の色割合又はその特色を構成する色三原色（赤、緑及び青）の割合を示すＲＧＢ値等）を手動で設定するか、或いは登録済のデータベースからその特色に対応する版名及びカラー情報を指定して表示（印刷）し、検査する必要があった。
【０００７】
【発明が解決しようとする課題】
しかしながら、上述した従来のＣＴＰ印刷システムにおいては、上述したように、ＣＭＹＫ夫々のプロセスカラーについては自動的に表示（印刷）用のカラー画像情報に変換することが可能であるが、上記特色については、製版オペレータがその特色に相当するＣＭＹＫ夫々の濃度値若しくはＲＧＢ値を手動で設定するか、又は各種の特色に相当するＣＭＹＫ夫々の濃度値若しくはＲＧＢ値が登録されているデータベースを作成して保存しておく必要があり、ＣＴＰ印刷システム全体としての校正作業の効率が低下するという問題点があった。
【０００８】
また、製版オペレータがその特色に相当するＣＭＹＫ夫々の濃度値若しくはＲＧＢ値を手動で設定するか、又は各種の特色に相当するＣＭＹＫ夫々の濃度値若しくはＲＧＢ値が登録されているデータベースを作成して保存しておくため、その特色の構成についてその製版オペレータの主観により混色される場合があり、結果として元の特色を正確に表現して確認することができない場合があるという問題点もあった。
【０００９】
そこで、本発明は、上記の各問題点に鑑みて為されたものであり、その課題は、製版オペレータが目視により特色に対応する版を製作する場合に比して、所望される特色をより正確に表現して確認することが可能であると共に、その校正作業を効率化することが可能な版状態表示装置及び版状態表示方法、並びに版状態表示用プログラム及び当該版状態表示用プログラムが記録されている情報記録媒体を提供することにある。
【００１０】
【課題を解決するための手段】
上記の課題を解決するために、請求項１に記載の発明は、印刷用の基本四色夫々に対応するデジタル色情報に基づいて、前記基本四色夫々に対応する基本色カラー分解情報を生成するＣＰＵ等の基本色解析手段と、前記基本四色以外の予め設定されている特色に対応するデジタル特色情報に基づいて、前記特色に対応する特色カラー分解情報を生成するＣＰＵ等の特色解析手段と、前記基本四色及び前記特色に夫々対応する網点情報と、前記生成された基本色カラー分解情報と、前記生成された特色カラー分解情報と、に基づいて、前記基本四色及び前記特色に夫々対応する各版の状態を示すカラー画像情報を生成するＣＰＵ等のカラー変換手段と、前記生成されたカラー画像情報に基づいて、各前記版に対応する画像を表示するディスプレイ等の表示手段と、を備える。
【００１１】
よって、基本四色に加えて、特色についても特色カラー分解情報を生成し、当該特色カラー分解情報と、基本四色夫々に対応する基本色カラー分解情報と、当該基本四色及び特色に夫々対応する網点情報と、に基づいて、各色に対応する各版の状態を示すカラー画像情報を生成してその状態を表示するので、基本四色だけでなく特色も含めて正確な版状態を、その版を製作する前に迅速に確認することができる。
【００１２】
上記の課題を解決するために、請求項２に記載の発明は、請求項１に記載の版状態表示装置において、前記デジタル特色情報は、当該特色を構成する基本四色夫々の色割合を示す色割合情報を含むと共に、前記特色解析手段は、前記色割合情報に基づいて前記特色カラー分解情報を生成するように構成される。
【００１３】
よって、デジタル特色情報に含まれている色割合情報に基づいて特色カラー分解情報を生成するので、その特色に対応する版の状態を正確に表示するカラー画像情報を生成することができる。
【００１４】
上記の課題を解決するために、請求項３に記載の発明は、請求項１又は２に記載の版状態表示装置において、各前記デジタル色情報及び前記デジタル特色情報は、ページ記述言語によりデジタル的に記述されている情報であると共に、前記デジタル特色情報は、当該特色の名称を示す名称と、当該特色を構成する基本四色夫々の色割合を示す色割合情報を含み、前記特色解析手段は、前記名称と前記色割合情報とを関連付けて前記特色カラー分解情報を生成するように構成される。
【００１５】
よって、特色の名称と対応する色割合情報とを対応付けてカラー分解情報を生成するので、正確にその特色に対応する版の状態を確認することができる。
【００１６】
上記の課題を解決するために、請求項４に記載の発明は、請求項１から３のいずれか一項に記載の版状態表示装置において、前記カラー変換手段は、前記カラー画像情報としてのカラーセパレート情報を前記基本四色及び前記特色夫々について生成すると共に、前記カラー画像情報としてのカラーコンポジット情報を前記基本四色及び前記特色に基づいて生成するように構成される。
【００１７】
よって、カラーセパレート情報を基本四色及び特色夫々について生成すると共に、カラーコンポジット情報を基本四色及び特色に基づいて生成するので、版状態を表示する表示手段に適応させてカラー画像情報を生成することでより正確に基本四色及び特色の版状態を確認することができる。
【００１８】
上記の課題を解決するために、請求項５に記載の発明は、印刷用の基本四色夫々に対応するデジタル色情報に基づいて、前記基本四色夫々に対応する基本色カラー分解情報を生成する基本色解析工程と、前記基本四色以外の予め設定されている特色に対応するデジタル特色情報に基づいて、前記特色に対応する特色カラー分解情報を生成する特色解析工程と、前記基本四色及び前記特色に夫々対応する網点情報と、前記生成された基本色カラー分解情報と、前記生成された特色カラー分解情報と、に基づいて、前記基本四色及び前記特色に夫々対応する各版の状態を示すカラー画像情報を生成するカラー変換工程と、前記生成されたカラー画像情報に基づいて、各前記版に対応する画像を表示手段に表示する表示工程と、を備える。
【００１９】
よって、基本四色に加えて、特色についても特色カラー分解情報を生成し、当該特色カラー分解情報と、基本四色夫々に対応する基本色カラー分解情報と、当該基本四色及び特色に夫々対応する網点情報と、に基づいて、各色に対応する各版の状態を示すカラー画像情報を生成してその状態を表示するので、基本四色だけでなく特色も含めて正確な版状態を、その版を製作する前に迅速に確認することができる。
【００２０】
上記の課題を解決するために、請求項６に記載の発明は、請求項５に記載の版状態表示方法において、前記デジタル特色情報は、当該特色を構成する基本四色夫々の色割合を示す色割合情報を含むと共に、前記特色解析工程においては、前記色割合情報に基づいて前記特色カラー分解情報を生成するように構成される。
【００２１】
よって、デジタル特色情報に含まれている色割合情報に基づいて特色カラー分解情報を生成するので、その特色に対応する版の状態を正確に表示するカラー画像情報を生成することができる。
【００２２】
上記の課題を解決するために、請求項７に記載の発明は、請求項５又は６に記載の版状態表示方法において、各前記デジタル色情報及び前記デジタル特色情報は、ページ記述言語によりデジタル的に記述されている情報であると共に、前記デジタル特色情報は、当該特色の名称を示す名称と、当該特色を構成する基本四色夫々の色割合を示す色割合情報を含み、前記特色解析工程においては、前記名称と前記色割合情報とを関連付けて前記特色カラー分解情報を生成するように構成される。
【００２３】
よって、特色の名称と対応する色割合情報とを対応付けてカラー分解情報を生成するので、正確にその特色に対応する版の状態を確認することができる。
【００２４】
上記の課題を解決するために、請求項８に記載の発明は、請求項５から７のいずれか一項に記載の版状態表示方法において、前記カラー変換工程においては、前記カラー画像情報としてのカラーセパレート情報を前記基本四色及び前記特色夫々について生成すると共に、前記カラー画像情報としてのカラーコンポジット情報を前記基本四色及び前記特色に基づいて生成するように構成される。
【００２５】
よって、カラーセパレート情報を基本四色及び特色夫々について生成すると共に、カラーコンポジット情報を基本四色及び特色に基づいて生成するので、版状態を表示する表示手段に適応させてカラー画像情報を生成することでより正確に基本四色及び特色の版状態を確認することができる。
【００２６】
上記の課題を解決するために、請求項９に記載の発明は、印刷用の版の状態を表示する版状態表示装置に含まれるコンピュータを、前記印刷用の基本四色夫々に対応するデジタル色情報に基づいて、前記基本四色夫々に対応する基本色カラー分解情報を生成する基本色解析手段、前記基本四色以外の予め設定されている特色に対応するデジタル特色情報に基づいて、前記特色に対応する特色カラー分解情報を生成する特色解析手段、前記基本四色及び前記特色に夫々対応する網点情報と、前記生成された基本色カラー分解情報と、前記生成された特色カラー分解情報と、に基づいて、前記基本四色及び前記特色に夫々対応する各版の状態を示すカラー画像情報を生成するカラー変換手段、及び、前記生成されたカラー画像情報に基づいて、各前記版に対応する画像の表示を制御する表示制御手段、として機能させる。
【００２７】
よって、基本四色に加えて、特色についても特色カラー分解情報を生成し、当該特色カラー分解情報と、基本四色夫々に対応する基本色カラー分解情報と、当該基本四色及び特色に夫々対応する網点情報と、に基づいて、各色に対応する各版の状態を示すカラー画像情報を生成してその状態を表示させるようにコンピュータが機能するので、基本四色だけでなく特色も含めて正確な版状態を、その版を製作する前に迅速に確認することができる。
【００２８】
上記の課題を解決するために、請求項１０に記載の発明は、請求項９に記載の版状態表示用プログラムにおいて、前記デジタル特色情報は、当該特色を構成する基本四色夫々の色割合を示す色割合情報を含むと共に、前記特色解析手段として機能する前記コンピュータを、前記色割合情報に基づいて前記特色カラー分解情報を生成するように機能させるように構成される。
【００２９】
よって、デジタル特色情報に含まれている色割合情報に基づいて特色カラー分解情報を生成するようにコンピュータが機能するので、その特色に対応する版の状態を正確に表示するカラー画像情報を生成することができる。
【００３０】
上記の課題を解決するために、請求項１１に記載の発明は、請求項９又は１０に記載の版状態表示用プログラムにおいて、各前記デジタル色情報及び前記デジタル特色情報は、ページ記述言語によりデジタル的に記述されている情報であると共に、前記デジタル特色情報は、当該特色の名称を示す名称と、当該特色を構成する基本四色夫々の色割合を示す色割合情報を含み、前記特色解析手段として機能する前記コンピュータを、前記名称と前記色割合情報とを関連付けて前記特色カラー分解情報を生成するように機能させるように構成される。
【００３１】
よって、特色の名称と対応する色割合情報とを対応付けてカラー分解情報を生成するようにコンピュータが機能するので、正確にその特色に対応する版の状態を確認することができる。
【００３２】
上記の課題を解決するために、請求項１２に記載の発明は、請求項９から１１のいずれか一項に記載の版状態表示用プログラムにおいて、前記カラー変換手段として機能する前記コンピュータを、前記カラー画像情報としてのカラーセパレート情報を前記基本四色及び前記特色夫々について生成するように機能させると共に、前記カラー画像情報としてのカラーコンポジット情報を前記基本四色及び前記特色に基づいて生成するように機能させるように構成される。
【００３３】
よって、カラーセパレート情報を基本四色及び特色夫々について生成すると共に、カラーコンポジット情報を基本四色及び特色に基づいて生成するようにコンピュータが機能するので、版状態を表示する表示手段に適応させてカラー画像情報を生成することでより正確に基本四色及び特色の版状態を確認することができる。
【００３４】
上記の課題を解決するために、請求項１３に記載の発明は、請求項９から１２のいずれか一項に記載の版状態表示用プログラムが、前記コンピュータで夫々読取可能に記録されている。
【００３５】
よって、請求項９に記載の版状態表示用プログラムが記録されている場合には、これをコンピュータで読み出して実行することにより、基本四色に加えて、特色についても特色カラー分解情報を生成し、当該特色カラー分解情報と、基本四色夫々に対応する基本色カラー分解情報と、当該基本四色及び特色に夫々対応する網点情報と、に基づいて、各色に対応する各版の状態を示すカラー画像情報を生成してその状態を表示させるようにコンピュータが機能するので、基本四色だけでなく特色も含めて正確な版状態を、その版を製作する前に迅速に確認することができる。
【００３６】
また、請求項１０に記載の版状態表示用プログラムが記録されている場合には、これをコンピュータで読み出して実行することにより、デジタル特色情報に含まれている色割合情報に基づいて特色カラー分解情報を生成するようにコンピュータが機能するので、その特色に対応する版の状態を正確に表示するカラー画像情報を生成することができる。
【００３７】
また、請求項１１に記載の版状態表示用プログラムが記録されている場合には、これをコンピュータで読み出して実行することにより、特色の名称と対応する色割合情報とを対応付けてカラー分解情報を生成するようにコンピュータが機能するので、正確にその特色に対応する版の状態を確認することができる。
【００３８】
更にまた、請求項１２に記載の版状態表示用プログラムが記録されている場合には、これをコンピュータで読み出して実行することにより、カラーセパレート情報を基本四色及び特色夫々について生成すると共に、カラーコンポジット情報を基本四色及び特色に基づいて生成するようにコンピュータが機能するので、版状態を表示する表示手段に適応させてカラー画像情報を生成することでより正確に基本四色及び特色の版状態を確認することができる。
【００３９】
【発明の実施の形態】
次に、本発明に好適な実施の形態について、図１乃至図６を用いて説明する。
【００４０】
なお、以下に説明する実施の形態は、上記ＲＩＰ処理を行うＲＩＰ装置と、版状態表示装置としてのカラー画像作成装置と、を含み、特色を含む各色の発色状態等を製版前に確認するために用いられるＣＴＰ校正システムに対して本発明を適用した場合の実施の形態である。
【００４１】
また、図１及び図２は実施形態に係るＣＴＰ校正システムの構成を夫々に示すブロック図であり、図３は実施形態に係るＰＳデータの構成を例示する図であり、図４乃至図６は実施形態に係る画像表示処理を示すフローチャートである。
【００４２】
図１に示すように、実施形態に係るＣＴＰ校正システムＳは、カラー画像作成装置１００と、シリアルバス、パラレルバス又はＬＡＮ（Ｌｏｃａｌ  Ａｒｅａ  Ｎｅｔｗｏｒｋ）等よりなるバスＢと、ＲＩＰ装置２００と、により構成されている。
【００４３】
このとき、ＲＩＰ装置２００は、上記ＰＳによりデジタル的に記述されている各版に対応する色（上記基本四色及び上記特色を含む）毎の色情報であるＰＳデータを、バスＢを介して取得し、当該ＰＳデータに対して上記ＲＩＰ処理を施して各色毎の網点データを生成する。
【００４４】
次に、カラー画像作成装置１００は、バスＢを介して当該網点データ並びに当該網点データを抽出後の上記ＰＳデータを取得し、これらを用いて後述するＰＳ解析処理並びにカラー変換処理を施して画像表示用のＲＧＢ各色のカラー画像情報を生成することにより、製版後の各版に対応する画像をディスプレイ上に表示させる。
【００４５】
次に、実施形態に係るカラー画像作成装置１００の細部構成について説明する。
【００４６】
図１に示すように、当該カラー画像作成装置１００は、大別して、操作入力部１０１と、演算制御部１１０と、表示手段としての表示部１２０と、ハードディスク等よりなる記憶部１３０と、により構成されている。
【００４７】
このとき、操作入力部１０１は、キーボード１０３及びマウス１０２よりなり、後述する画像表示処理に必要な操作が行われ、当該操作内容を示す操作情報が演算制御部１１０に出力される。
【００４８】
そして、演算制御部１１０は、基本色解析手段、特色解析手段及びカラー変換手段としてのＣＰＵ１１１及びメモリ１１２よりなり、後述する画像表示処理を主として実行し、その結果としてのカラー画像情報を表示部１２０へ出力する。
【００４９】
これにより、表示部１２０は、液晶ディスプレイ又はＣＲＴ（Ｃａｔｈｏｄｅ    Ｒａｙ  Ｔｕｂｅ）等よりなるディスプレイ１２１と、これを制御する図示しない表示制御部等よりなり、上記演算制御部１１０から出力されてくるカラー画像情報に対応するカラー画像、すなわち、製版前の各色毎の版に対応するカラー画像を表示する。
【００５０】
このとき、記憶部１３０は、演算制御部１１０が生成した画像情報としてのカラーセパレーション画像情報１３１及びカラーコンポジット画像情報１３２等を一時的に記憶し、これらを演算制御部１１０の制御の下で必要に応じて表示部１２０に出力する。
【００５１】
次に、図１に示すＣＴＰ校正システムＳにおいて実行される実施形態に係る画像表示処理を含む校正処理の全体について、図２を用いて説明する。なお、図２は、当該校正処理における情報の流れ等の全体を示す図である。
【００５２】
図２に示すように、ＣＴＰ校正システムＳにおいては、従来と同様の方法により予め生成されているＰＳデータＳｐｓがＲＩＰ装置２００に入力されると、当該ＲＩＰ装置２００において従来と同様の方法によりＲＩＰ処理が実行され、当該ＲＩＰ処理後のＰＳデータＳｒｐｓ及び網点データＳｍｘとが生成され、夫々別個にカラー画像作成装置１００へ出力される。
【００５３】
このとき、ＲＩＰ装置２００に入力されるＰＳデータＳｐｓとして具体的には、例えば図３に例示する如く、従来と同様のＣＭＹＫ各色に対応する名称情報１に加えて、各特色（図３に示す場合には、「トクキ」、「トクアカ」及び「キン」の三つの特色を示すＰＳデータが含まれている）に対応する名称情報２と、当該名称情報２に一対一に対応する色割合情報３と、が含まれている。そして、当該特色に対応する色割合情報３には、その色割合情報３が対応する特色を構成する基本四色夫々の色割合を示すデータが含まれている。
【００５４】
図２に戻って、ＲＩＰ装置２００において生成されたＲＩＰ処理後のＰＳデータＳｒｐｓには、カラー画像作成装置１００において後述するＰＳ解析処理が施され、基本四色及び特色を含む各色毎のカラー分解情報Ｓｓｐが生成される。
【００５５】
そして、当該生成されたカラー分解情報Ｓｓｐと、ＲＩＰ装置２００において生成された上記網点データＳｍｘと、を用いて、カラー画像作成装置１００において後述するカラー変換処理が実行され、ディスプレイ１２１に各色の版の画像を表示するためのカラー画像情報Ｓｒｇｂが生成されて当該ディスプレイ１２１へ出力される。このとき、当該カラー画像情報Ｓｒｇｂ内には、カラーセパレーション画像情報１３１及びカラーコンポジット画像情報１３２が含まれており、これらによりディスプレイ１２１上に各色の版が表示されることとなる。
【００５６】
次に、上述してきた構成を有するカラー画像作成措置１００において実行される実施形態に係る画像表示処理について、図４乃至図６を用いて説明する。
【００５７】
先ず、当該画像表示処理の全体構成について、図４を用いて説明する。
【００５８】
図４に示すように、当該校正処理においては、カラー画像作成装置１００にＲＩＰ装置２００から上記ＰＳデータＳｒｐｓが入力されると、これを演算制御部１１０において読み込み（ステップＳ１）、当該読み込んだ各色（基本四色及び特色を含む）毎に上記ＰＳデータＳｒｐｓに対するＰＳ解析処理を実行する（ステップＳ２）。このＰＳ解析処理については、後ほど詳述する。
【００５９】
次に、当該ＰＳ解析処理によって生成された各色毎のカラー分解情報Ｓｓｐを、全ての色（版）について読み込むと共に（ステップＳ３）ＲＩＰ装置２００から上記網点データＳｍｘを読み込み（ステップＳ４）、当該カラー分解情報Ｓｓｐ及び網点データＳｍｘを用いて後述するカラー変換処理を実行し、上記カラーセパレーション画像情報１３１及びカラーコンポジット画像情報１３２を含むカラー画像情報Ｓｒｇｂを生成してディスプレイ１２１上に出力し（ステップＳ５）、当該ディスプレイ１２１上に各版に対応する画像を表示する。
【００６０】
次に、上記ＰＳ解析処理（図４ステップＳ２）の細部について、図５を用いて説明する。
【００６１】
図５に示すように、上記ＰＳ解析処理においては、始めに、入力されているＰＳデータＳｐｓにおけるヘッダ部を読み込んで解析し、ＣＭＹＫ及び特色夫々の名称情報１及び２並びに色割合情報３を含む記述を検索し（図３参照。ステップＳ１０）、更にその検索した結果から各版の色に対応する名称情報１及び２を取得する（図３参照。ステップＳ１１）。
【００６２】
次に、特色のみにつき、当該特色を構成する基本四色夫々の色割合を示す色割合情報３を取得する（図３参照。ステップＳ１２）。
【００６３】
そして、取得した名称情報１及び２並びに色割合情報３に基づいて、基本四色及び特色の各版毎にカラー分解情報Ｓｓｐを生成して図４に示すステップＳ３の処理に移行する。
【００６４】
最後に、上記カラー変換処理（図４ステップＳ５）の細部について、図５を用いて説明する。
【００６５】
図５に示すように、上記カラー変換処理においては、始めに、ＲＩＰ装置２００から取得した網点データＳｍｘ（基本四色に加えて特色に対応するものを含む）に対して従来と同様のデスクリーニング処理を施し、当該網点データＳｍｘを各色毎に連続階調画像（グレースケール画像）に変換する（ステップＳ２０）。
【００６６】
次に、当該変換されたグレースケール画像に対して従来と同様のリサイズ処理を施し、ディスプレイ１２１における表示の解像度に合わせて画像サイズを変更する（ステップＳ２１）。
【００６７】
その後、各版毎に、上記ＰＳ解析処理において生成されたＣＭＹＫ及び特色に夫々対応するカラー分解情報Ｓｓｐに記述されているＣＭＹＫ毎の色割合に基づいて、ディスプレイ１２１へ出力されるカラー画像情報ＳｒｇｂとしてのＲＧＢ値を算出する（ステップＳ２２）。ここで、当該ＲＧＢ値への変換式は以下の通りである。
【００６８】
【数１】
Ｒ＝（１−ＭＩＮ（１，Ｃ＋Ｋ））×２５５
Ｇ＝（１−ＭＩＮ（１，Ｍ＋Ｋ））×２５５
Ｂ＝（１−ＭＩＮ（１，Ｙ＋Ｋ））×２５５
ここで、０≦Ｒ、Ｇ、Ｂ≦２５５
０≦Ｃ、Ｍ、Ｙ、Ｋ≦１
そして、算出したＲＧＢ値に基づいて各版毎にグレースケール画像をＲＧＢ変換し（ステップＳ２２）、これにより生成されるカラーセパレーション画像情報１３１を一時的に記憶部１３０に記録する（ステップＳ２３、Ｓ２４）。
【００６９】
次に、基本四色及び特色を含む全ての色に対して上記ステップＳ２０乃至Ｓ２４の処理を実行し終えたか否かを確認し（ステップＳ２５）、未だ完了していない色がある場合は（ステップＳ２５；ＮＯ）その完了していない色について当該ステップＳ２０乃至Ｓ２４の処理を実行すべく上記ステップＳ２０に戻って当該未完了の色に対してステップＳ２０乃至Ｓ２４の処理を行う。
【００７０】
一方、ステップＳ２５の判定において、全ての色について処理が完了している場合は（ステップＳ２５；ＹＥＳ）、次に、全ての版に対応するカラーセパレーション画像情報１３１を用いて、ディスプレイ１２１上を構成する各画素毎に上記ＲＧＢ値のＭＩＮ処理を行い（ステップＳ２６）、ディスプレイ１２１への出力用のカラーコンポジット画像情報１３２を生成して記憶部１３０内に一時的に記録し（ステップＳ２７）、その後、必要に応じてディスプレイ１２１へ出力して各版に対応する画像を表示し、必要な構成処理が実行されることとなる。
【００７１】
ここで、当該カラーコンポジット画像情報１３２を生成する場合の処理としては、例えば以下の処理が実行される。
【００７２】
【数２】
Ｒ＝ＭＩＮ（Ｒ１，Ｒ２，…Ｒｎ）
Ｇ＝ＭＩＮ（Ｇ１，Ｇ２，…Ｇｎ）
Ｂ＝ＭＩＮ（Ｂ１，Ｂ２，…Ｂｎ）
ただし、
Ｎ＝版数、０≦Ｒ、Ｇ、Ｂ≦２５５
以上説明したように、実施形態の画像表示処理によれば、基本四色に加えて、特色についてもカラー分解情報Ｓｓｐを生成し、当該カラー分解情報Ｓｓｐと、基本四色夫々に対応するカラー分解情報Ｓｓｐと、当該基本四色及び特色に夫々対応する網点データＳｍｘと、に基づいて、各色に対応する各版の状態を示すカラー画像情報Ｓｒｇｂを生成してその状態を表示するので、基本四色だけでなく特色も含めて正確な版状態を、その版を製作する前に迅速に確認することができる。
【００７３】
よって、製版オペレータが目視により特色に対応する版を製作する場合に比して、所望される特色をより正確に表現して確認することができると共に、その校正作業を効率化することができる。
【００７４】
また、ＰＳデータＳｐｓに含まれている色割合情報３に基づいて特色についてのカラー分解情報Ｓｓｐを生成するので、その特色に対応する版の状態を正確に表示するカラー画像情報Ｓｒｇｂを生成することができる。
【００７５】
更に、特色の名称情報２と対応する色割合情報３とを対応付けてカラー分解情報Ｓｓｐを生成するので、正確にその特色に対応する版の状態を確認することができる。
【００７６】
更にまた、カラーセパレート画像情報１３１と、カラーコンポジット画像情報１３２と、を基本四色及び特色夫々について生成するので、版状態を表示する表示手段に適応させてカラー画像情報Ｓｒｇｂを生成することでより正確に基本四色及び特色の版状態を確認することができる。
【００７７】
なお、図４乃至図６に示すフローチャートに対応するプログラムをフレキシブルディスク又はハードディスク等の情報記録媒体に記録しておき、或は、インターネット等のネットワークを介して取得して記録しておき、これを例えば汎用のマイクロコンピュータ等により読み出して実行することにより、当該マイクロコンピュータを実施形態に係る演算制御部２として機能させることも可能である。
【００７８】
【発明の効果】
以上説明したように、請求項１に記載の発明によれば、基本四色に加えて、特色についても特色カラー分解情報を生成し、当該特色カラー分解情報と、基本四色夫々に対応する基本色カラー分解情報と、当該基本四色及び特色に夫々対応する網点情報と、に基づいて、各色に対応する各版の状態を示すカラー画像情報を生成してその状態を表示するので、基本四色だけでなく特色も含めて正確な版状態を、その版を製作する前に迅速に確認することができる。
【００７９】
よって、製版オペレータが目視により特色に対応する版を製作する場合に比して、所望される特色をより正確に表現して確認することができると共に、その校正作業を効率化することができる。
【００８０】
請求項２に記載の発明によれば、請求項１に記載の発明の効果に加えて、デジタル特色情報に含まれている色割合情報に基づいて特色カラー分解情報を生成するので、その特色に対応する版の状態を正確に表示するカラー画像情報を生成することができる。
【００８１】
請求項３に記載の発明によれば、請求項１又は２に記載の発明の効果に加えて、特色の名称と対応する色割合情報とを対応付けてカラー分解情報を生成するので、正確にその特色に対応する版の状態を確認することができる。
【００８２】
請求項４に記載の発明によれば、請求項１から３のいずれか一項に記載の発明の効果に加えて、カラーセパレート情報を基本四色及び特色夫々について生成すると共に、カラーコンポジット情報を基本四色及び特色に基づいて生成するので、版状態を表示する表示手段に適応させてカラー画像情報を生成することでより正確に基本四色及び特色の版状態を確認することができる。
【００８３】
請求項５に記載の発明によれば、基本四色に加えて、特色についても特色カラー分解情報を生成し、当該特色カラー分解情報と、基本四色夫々に対応する基本色カラー分解情報と、当該基本四色及び特色に夫々対応する網点情報と、に基づいて、各色に対応する各版の状態を示すカラー画像情報を生成してその状態を表示するので、基本四色だけでなく特色も含めて正確な版状態を、その版を製作する前に迅速に確認することができる。
【００８４】
よって、製版オペレータが目視により特色に対応する版を製作する場合に比して、所望される特色をより正確に表現して確認することができると共に、その校正作業を効率化することができる。
【００８５】
請求項６に記載の発明によれば、請求項５に記載の発明の効果に加えて、デジタル特色情報に含まれている色割合情報に基づいて特色カラー分解情報を生成するので、その特色に対応する版の状態を正確に表示するカラー画像情報を生成することができる。
【００８６】
請求項７に記載の発明によれば、請求項５又は６に記載の発明の効果に加えて、特色の名称と対応する色割合情報とを対応付けてカラー分解情報を生成するので、正確にその特色に対応する版の状態を確認することができる。
【００８７】
請求項８に記載の発明によれば、請求項５から７のいずれか一項に記載の発明の効果に加えて、カラーセパレート情報を基本四色及び特色夫々について生成すると共に、カラーコンポジット情報を基本四色及び特色に基づいて生成するので、版状態を表示する表示手段に適応させてカラー画像情報を生成することでより正確に基本四色及び特色の版状態を確認することができる。
【００８８】
請求項９に記載の発明によれば、基本四色に加えて、特色についても特色カラー分解情報を生成し、当該特色カラー分解情報と、基本四色夫々に対応する基本色カラー分解情報と、当該基本四色及び特色に夫々対応する網点情報と、に基づいて、各色に対応する各版の状態を示すカラー画像情報を生成してその状態を表示させるようにコンピュータが機能するので、基本四色だけでなく特色も含めて正確な版状態を、その版を製作する前に迅速に確認することができる。
【００８９】
よって、製版オペレータが目視により特色に対応する版を製作する場合に比して、所望される特色をより正確に表現して確認することができると共に、その校正作業を効率化することができる。
【００９０】
請求項１０に記載の発明によれば、請求項９に記載の発明の効果に加えて、デジタル特色情報に含まれている色割合情報に基づいて特色カラー分解情報を生成するようにコンピュータが機能するので、その特色に対応する版の状態を正確に表示するカラー画像情報を生成することができる。
【００９１】
請求項１１に記載の発明によれば、請求項９又は１０に記載の発明の効果に加えて、特色の名称と対応する色割合情報とを対応付けてカラー分解情報を生成するようにコンピュータが機能するので、正確にその特色に対応する版の状態を確認することができる。
【００９２】
請求項１２に記載の発明によれば、請求項９から１１のいずれか一項に記載の発明の効果に加えて、カラーセパレート情報を基本四色及び特色夫々について生成すると共に、カラーコンポジット情報を基本四色及び特色に基づいて生成するようにコンピュータが機能するので、版状態を表示する表示手段に適応させてカラー画像情報を生成することでより正確に基本四色及び特色の版状態を確認することができる。
【００９３】
請求項１３に記載の発明によれば、請求項９に記載の版状態表示用プログラムが記録されている場合には、これをコンピュータで読み出して実行することにより、基本四色に加えて、特色についても特色カラー分解情報を生成し、当該特色カラー分解情報と、基本四色夫々に対応する基本色カラー分解情報と、当該基本四色及び特色に夫々対応する網点情報と、に基づいて、各色に対応する各版の状態を示すカラー画像情報を生成してその状態を表示させるようにコンピュータが機能するので、基本四色だけでなく特色も含めて正確な版状態を、その版を製作する前に迅速に確認することができる。
【００９４】
よって、製版オペレータが目視により特色に対応する版を製作する場合に比して、所望される特色をより正確に表現して確認することができると共に、その校正作業を効率化することができる。
【００９５】
また、請求項１０に記載の版状態表示用プログラムが記録されている場合には、これをコンピュータで読み出して実行することにより、デジタル特色情報に含まれている色割合情報に基づいて特色カラー分解情報を生成するようにコンピュータが機能するので、その特色に対応する版の状態を正確に表示するカラー画像情報を生成することができる。
【００９６】
また、請求項１１に記載の版状態表示用プログラムが記録されている場合には、これをコンピュータで読み出して実行することにより、特色の名称と対応する色割合情報とを対応付けてカラー分解情報を生成するようにコンピュータが機能するので、正確にその特色に対応する版の状態を確認することができる。
【００９７】
更にまた、請求項１２に記載の版状態表示用プログラムが記録されている場合には、これをコンピュータで読み出して実行することにより、カラーセパレート情報を基本四色及び特色夫々について生成すると共に、カラーコンポジット情報を基本四色及び特色に基づいて生成するようにコンピュータが機能するので、版状態を表示する表示手段に適応させてカラー画像情報を生成することでより正確に基本四色及び特色の版状態を確認することができる。
【図面の簡単な説明】
【図１】実施形態に係るＣＴＰ校正システムの構成を示すブロック図である。
【図２】実施形態に係るＣＴＰ校正システムにおける処理の流れ示す図である。
【図３】ＰＳデータの内容を例示する図である。
【図４】実施形態の画像表示処理を示すフローチャートである。
【図５】ＰＳ解析処理の細部を示すフローチャートである。
【図６】カラー変換処理の細部を示すフローチャートである。
【符号の説明】
１、２…名称情報
３…色割合情報
１００…カラー画像作成装置
１０１…操作入力部
１１０…演算制御部
１２０…表示部
１３０…記憶部
１０３…キーボード
１０２…マウス
１１１…ＣＰＵ
１１２…メモリ
１２０…表示部
１２１…ディスプレイ
１３１…カラーセパレーション画像情報
１３２…カラーコンポジット画像情報
２００…ＲＩＰ装置
Ｓ…ＣＴＰ校正システム
Ｂ…バス
Ｓｐｓ、Ｓｒｐｓ…ＰＳデータ
Ｓｍｘ…網点データ
Ｓｓｐ…カラー分解情報
Ｓｒｇｂ…カラー画像情報
【図１】
2005033279.tif 000003
【図２】
2005033279.tif 000004
【図３】
2005033279.tif 000005
【図４】
2005033279.tif 000006
【図５】
2005033279.tif 000007
【図６】
2005033279.tif 000008